(57)【特許請求の範囲】
【請求項１】
天地方向を水平にした状態で上下に積み重ねられた複数の本と、
コ字状に折り曲げられて、上下方向に延びる第１面、該第１面の下端から水平方向に延びる第２面、及び、該第１面の上端から水平方向に延びる第３面を有する背布とを備え、
前記複数の各本には、それぞれ背表紙の近傍に表表紙から裏表紙まで貫通する貫通孔が天地方向に沿って複数形成されており、
前記複数の各本の背表紙は、前記背布のコ字の内側において前記第１面に当接し、前記複数の本のうち最も上側に位置する本の表表紙は、前記背布のコ字の内側において前記第３面に当接し、前記複数の本のうち最も下側に位置する本の裏表紙は、前記背布のコ字の内側において前記第２面に当接しており、
前記各本の天地方向に沿って形成された複数の貫通孔にそれぞれ挿通された本締結用糸が、前記各本の背表紙に対向する前記背布の第１面の部位にも挿通され、前記背布のコ字の外側における前記第１面上に結び目が形成されるように結ばれていることで、前記各本が前記各本毎に前記背布に対して締結されていることを特徴とする合本。
【請求項２】
複数の本をそれらの天地方向を水平にした状態で上下に積み重ねて合本を製造する方法であって、
合本の対象とする各本の背表紙の近傍に該各本の表表紙から裏表紙まで貫通する貫通孔を該各本の天地方向に沿って複数形成する第１ステップと、
前記各本に形成された複数の貫通孔の数と同数の本締結用糸付き針を用意する第２ステップと、
Ｌ字状に折り曲げられて上下方向に延びる第１面と水平方向に延びる第２面とを有し、該第２面上に各本が積み重ねられる背布を用意する第３ステップと、
積み重ねる一の本の天地方向を水平にすると共に、前記第３ステップで用意した前記背布の第１面と前記一の本の背表紙とが対向し、前記背布の第２面と前記一の本の裏表紙とが対向するように、前記背布のＬ字の内側に前記一の本を配置する第４ステップと、
前記一の本が前記背布の第２面上に積み重ねられたとすれば、上下方向については前記一の本の裏表紙に対応する位置となり、水平方向については前記第１ステップで前記一の本に形成された各貫通孔に対応する位置となる前記背布の第１面の部位に対して、それぞれ前記背布のＬ字の外側から内側に向けて前記第２ステップで用意した前記本締結用糸付き針を挿通する第５ステップと、
前記第５ステップで前記背布の第１面に挿通された前記本締結用糸付き針のそれぞれを、前記一の本に形成された各貫通孔に下から上に向けて挿通する第６ステップと、
前記第６ステップで各貫通孔に前記本締結用糸付き針が挿通された前記一の本の背表紙を前記背布の第１面に当接させ、前記一の本の裏表紙を前記背布の第２面又は既に積み重ねられた他の本がある場合には当該他の本の表表紙に当接させた状態において、上下方向については前記一の本の表表紙に対応する位置にあり、水平方向については前記一の本に形成された各貫通孔に対応する位置にある前記背布の第１面の部位に対して、それぞれ前記背布のＬ字の内側から外側に向けて前記本締結用糸付き針を挿通する第７ステップと、
前記第７ステップで前記背布の前記第１面に挿通された前記本締結用糸付き針の糸を、前記背布のＬ字の外側における前記第１面上に結び目が形成されるようにそれぞれ結ぶことで、前記一の本を前記背布に対して締結する第８ステップと、
前記第４ステップから第８ステップまでを合本の対象とする本の数だけ繰り返し実行した後、前記本締結用糸付き針から針を取り外し、前記背布の第１面の上端部を積み重ねられた本に向けて折り曲げてコ字状にする第９ステップと、
を含むことを特徴とする合本の製造方法。
【発明の詳細な説明】
【技術分野】
【０００１】
本発明は、複数の本が一冊に纏められた合本、及び合本の製造方法に関する。特に、本発明は、本の見開き性の低下を伴わない合本及びその製造方法に関する。
【背景技術】
【０００２】
従来、本を保管し易くするため、複数の本が一冊に纏められた合本を作製する場合がある。
従来の合本としては、例えば、特許文献１に記載の合本が提案されている。特許文献１に記載の合本は、背表紙を揃えた状態で重ねられた複数の本に、それぞれ背表紙の近傍に表表紙から裏表紙まで貫通する貫通孔が天地方向に沿って複数形成されている。その複数の本に形成された各貫通孔のうち、天地方向について同一の位置に形成された各貫通孔は相互に連通している。そして、特許文献１に記載の合本は、連通している各本の貫通孔に、各本の天地方向に沿って、順次且つ各本の厚み方向に正逆交互に締結部材（紐）が挿通されることで、複数の本同士が直接締結された合本となっている。
特許文献１に記載の合本によれば、複数の本を個別に管理するのではなく、一冊に纏められた合本として管理できるため、本の管理が容易となる。
【０００３】
しかしながら、特許文献１に記載の合本は、合本を構成する全ての本を紐で直接締結しているため、合本前の各本単独での見開き性（見開きの行い易さ）に比べて、合本後の見開き性が低下するという問題がある。見開き性の低下は、合本する本の数が多ければ多いほど顕著である。
【先行技術文献】
【特許文献】
【０００４】
【特許文献１】特開２００８−１６８５０４号公報
【発明の開示】
【発明が解決しようとする課題】
【０００５】
本発明は、従来の合本における上記問題点に鑑み、見開き性の低下を伴わない合本及びその製造方法を提供することを課題とする。
【課題を解決するための手段】
【０００６】
特許文献１に記載の合本は、合本を構成する全ての本同士が背表紙近傍において直接締結されているため、所望の頁を見開く際に、所望の頁が存する本の残りの頁だけではなく、合本を構成するその他の本をも押し広げることになる。一般に、本の厚みが大きくなればなるほど、すなわち、頁数が増えれば増えるほど、見開き性は低下する。特許文献１に記載の合本は、合本を構成する全ての本同士が背表紙近傍において直接締結されているため、いわば厚みの大きな１冊の本に等しいものであるといえる。このため、特許文献１に記載の合本は、合本前の各本単独での見開き性に比べて、合本後の各本の見開き性が低下する。
上記のように、合本を構成する各本の見開き性が低下するのは、合本を構成する全ての本同士が背表紙近傍において直接締結されていることが理由であることから、本発明者らは、合本を構成する各本同士が背表紙近傍において直接締結されていない構成を採用すれば、前記課題を解決できることに想到し、本発明を完成した。
【０００７】
すなわち、前記課題を解決するため、本発明は、天地方向を水平にした状態で上下に積み重ねられた複数の本と、コ字状に折り曲げられて、上下方向に延びる第１面、該第１面の下端から水平方向に延びる第２面、及び、該第１面の上端から水平方向に延びる第３面を有する背布とを備え、前記複数の各本には、それぞれ背表紙の近傍に表表紙から裏表紙まで貫通する貫通孔が天地方向に沿って複数形成されており、前記複数の各本の背表紙は、前記背布のコ字の内側において前記第１面に当接し、前記複数の本のうち最も上側に位置する本の表表紙は、前記背布のコ字の内側において前記第３面に当接し、前記複数の本のうち最も下側に位置する本の裏表紙は、前記背布のコ字の内側において前記第２面に当接しており、前記各本の天地方向に沿って形成された複数の貫通孔にそれぞれ挿通された本締結用糸が、前記各本の背表紙に対向する前記背布の第１面の部位にも挿通され、前記背布のコ字の外側における前記第１面上に結び目が形成されるように結ばれていることで、前記各本が前記各本毎に前記背布に対して締結されていることを特徴とする合本を提供する。
【０００８】
本発明における「表表紙」とは、上下に積み重ねられる各本の上側の表紙を意味し、本発明における「裏表紙」とは、上下に積み重ねられる各本の下側の表紙を意味する。
また、本発明における「コ字の内側」とは、コ字状に折り曲げられた背布の第１面〜第３面で囲われた領域を意味し、「コ字の外側」とは、第１面〜第３面で囲われた領域以外の領域を意味する。
【０００９】
本発明に係る合本において、合本を構成する各本は、天地方向を水平にした状態で上下に積み重ねられ、且つ、各本の背表紙がコ字状に折り曲げられた背布のコ字の内側において上下方向に延びる第１面に当接している。すなわち、合本を構成する各本は、それぞれの背表紙の位置が水平方向に揃った状態で上下に積み重ねられている。
また、本発明に係る合本において、合本を構成する各本には、背表紙の近傍に表表紙から裏表紙まで貫通する貫通孔が形成されている。そして、本締結用糸が、各本の貫通孔と各本の背表紙に対向する背布の第１面の部位とにそれぞれ挿通され、背布のコ字の外側における第１面上に結び目が形成されるように結ばれている。換言すれば、背布のコ字の内側から外側に向けて、貫通孔及び背布の第１面に挿通された本締結用糸の両端が突出しており、その本締結用糸の両端が背布のコ字の外側における第１面上で結ばれている。これにより、合本を構成する各本は各本毎に背布に対して締結されている。合本を構成する各本には、前記貫通孔が各本の天地方向に沿って複数形成されているため、各本は背布に対して各本の天地方向に沿った複数箇所で確実に締結されることになる。
さらに、本発明に係る合本において、合本を構成する複数の本のうち最も上側に位置する本の表表紙が背布のコ字の内側において第３面に当接し、合本を構成する複数の本のうち最も下側に位置する本の裏表紙が背布のコ字の内側において第２面に当接している。すなわち、本発明の合本において、上下に積み重ねられた最も上側に位置する本の上側に背布の第３面が位置し、最も下側に位置する本の下側に背布の第２面が位置する。また、前述のように、各本の背表紙が背布のコ字の内側において第１面に当接している。すなわち、各本の背表紙の更に背側に第１面が位置する。従い、例えば、第１面の外側（背布のコ字の外側）、第２面の上側及び第３面の下側のうち少なくとも何れかに、合本を保護するための表紙を貼り付けることが可能である。
【００１０】
本発明においては、合本を構成する各本が各本毎に背布に対して直接締結されており、各本同士は背布を介して連結されているに過ぎない。このため、所望の頁を見開く際、所望の頁が存する本の残りの頁だけを押し広げれば良い。すなわち、本発明に係る合本は、特許文献１に記載のような全ての本同士が紐で直接締結された合本と異なり、各本単独での見開き性と同等の見開き性を有する。従って、本発明によれば、見開き性の低下を伴わない合本が提供される。
【００１１】
また、前記課題を解決するため、本発明は、複数の本をそれらの天地方向を水平にした状態で上下に積み重ねて合本を製造する方法であって、以下の第１〜第９ステップを含むことを特徴とする合本の製造方法としても提供される。
（１）第１ステップ
合本の対象とする各本の背表紙の近傍に該各本の表表紙から裏表紙まで貫通する貫通孔を該各本の天地方向に沿って複数形成する。
（２）第２ステップ
前記各本に形成された複数の貫通孔の数と同数の本締結用糸付き針を用意する。
（３）第３ステップ
Ｌ字状に折り曲げられて上下方向に延びる第１面と水平方向に延びる第２面とを有し、該第２面上に各本が積み重ねられる背布を用意する。
（４）第４ステップ
積み重ねる一の本の天地方向を水平にすると共に、前記第３ステップで用意した前記背布の第１面と前記一の本の背表紙とが対向し、前記背布の第２面と前記一の本の裏表紙とが対向するように、前記背布のＬ字の内側に前記一の本を配置する。
（５）第５ステップ
前記一の本が前記背布の第２面上に積み重ねられたとすれば、上下方向については前記一の本の裏表紙に対応する位置となり、水平方向については前記第１ステップで前記一の本に形成された各貫通孔に対応する位置となる前記背布の第１面の部位に対して、それぞれ前記背布のＬ字の外側から内側に向けて前記第２ステップで用意した前記本締結用糸付き針を挿通する。
（６）第６ステップ
前記第５ステップで前記背布の第１面に挿通された前記本締結用糸付き針のそれぞれを、前記一の本に形成された各貫通孔に下から上に向けて挿通する。
（７）第７ステップ
前記第６ステップで各貫通孔に前記本締結用糸付き針が挿通された前記一の本の背表紙を前記背布の第１面に当接させ、前記一の本の裏表紙を前記背布の第２面又は既に積み重ねられた他の本がある場合には当該他の本の表表紙に当接させた状態において、上下方向については前記一の本の表表紙に対応する位置にあり、水平方向については前記一の本に形成された各貫通孔に対応する位置にある前記背布の第１面の部位に対して、それぞれ前記背布のＬ字の内側から外側に向けて前記本締結用糸付き針を挿通する。
（８）第８ステップ
前記第７ステップで前記背布の前記第１面に挿通された前記本締結用糸付き針の糸を、前記背布のＬ字の外側における前記第１面上に結び目が形成されるようにそれぞれ結ぶことで、前記一の本を前記背布に対して締結する。
（９）第９ステップ
前記第４ステップから第８ステップまでを合本の対象とする本の数だけ繰り返し実行した後、前記本締結用糸付き針から針を取り外し、前記背布の第１面の上端部を積み重ねられた本に向けて折り曲げてコ字状にする。
【００１２】
本発明に係る製造方法によれば、第１〜第３ステップを実行することで、合本を製造するのに必要な準備（各本への貫通孔の形成、本締結用糸付き針の用意、背布の用意）が行われ、第４〜第８ステップを合本の対象とする本の数だけ繰り返し実行することで、各本が各本毎に背布に対して締結され、第９ステップを実行することで、背布がコ字状に折り曲げられて、背布のコ字の内側に積み重ねられた合本が製造される。
【００１３】
具体的には、第１ステップにおいて、合本を構成する各本の背表紙の近傍に該各本の表表紙から裏表紙まで貫通する貫通孔が各本の天地方向に沿って複数形成される。
貫通孔の形成手順としては、例えば、各本を背布に対して締結する前毎に形成することも考えられる。すなわち、最初に積み重ねられる本に貫通孔を形成し、当該本に対して第４〜第８ステップを実行して当該本を背布に締結した後、次に積み重ねられる本に貫通孔を形成するといった手順も考えられる。
しかしながら、本発明に係る製造方法の第１ステップのように、合本を構成する各本に予め貫通孔を形成しておけば、各本の締結作業中に、作業者が本締結用糸付き針を錐などの貫通孔形成用の工具に持ち替える手間が省けるため、合本の製造効率に優れるという利点が得られる。
【００１４】
また、第２ステップにおいて、各本に形成された複数の貫通孔の数と同数の本締結用糸付き針が用意される。本締結用糸付き針は、合本を構成する各本を背布に締結するための糸（本締結用糸）が後端部に取り付けられた針である。
本締結用糸付き針を用意する手順としては、例えば、第５ステップにおいて本締結用糸付き針を背布の第１面に挿通する前毎に用意することも考えられる。すなわち、一の本に形成された複数の貫通孔のうち、一の貫通孔に挿通するための本締結用糸付き針を用意して、その本締結用糸付き針を背布の第１面に挿通した後、次の貫通孔に挿通するための本締結用糸付き針を用意するといった手順も考えられる。
しかしながら、本発明に係る製造方法の第２ステップのように、複数の貫通孔の数と同数の本締結用糸付き針を予め用意しておけば、各貫通孔に対して第５ステップを実行している途中で本締結用糸付き針を用意する必要がないため、合本の製造効率に優れるという利点が得られる。
【００１５】
さらに、第３ステップにおいて、Ｌ字状に折り曲げられて上下方向に延びる第１面と水平方向に延びる第２面とを有し、第２面上に各本が積み重ねられる背布が用意される。背布の上端部は第９ステップにおいて折り曲げられるため、第３ステップで用意する背布の第１面の上下方向の長さは、積み重ねられる複数の本の総厚みよりも大きいものとする必要がある。
なお、以上に述べた第１〜第３ステップは、必ずしもこの順に実行する必要はなく、いずれのステップを先に実行しても良い。ただし、いずれのステップも第４ステップよりも先に実行する必要がある。
【００１６】
第４ステップでは、積み重ねる一の本（すなわち、これから背布に締結しようとする一の本）が、背布の第１面と一の本の背表紙とが対向し、背布の第２面と一の本の裏表紙とが対向するように、背布のＬ字の内側に配置される。
ここで、後続の第７ステップ及び第８ステップでは、前記一の本の背表紙を背布の第１面に当接させ、前記一の本の裏表紙を背布の第２面又は既に積み重ねられた他の本がある場合には当該他の本の表表紙に当接させた状態で、前記一の本は背布に締結される。
本発明に係る製造方法の第４ステップのように前記一の本を配置すれば、後続のステップにおいて前記一の本が締結される状態に近いため、後続のステップを実行し易いという利点を有する。
なお、本発明における「Ｌ字の内側」とは、Ｌ字状に折り曲げられた背布の第１面と第２面とによって区画される領域のうち、第１面と第２面との成す角度が小さい（約９０°）方の領域を意味し、「Ｌ字の外側」とは、第１面と第２面との成す角度が大きい方（約２７０°）の領域を意味する。
【００１７】
第５ステップでは、背布の第１面に対して、本締結用糸付き針が背布のＬ字の外側から内側に向けて挿通される。
具体的には、前記一の本が背布の第２面上に積み重ねられたとすれば、上下方向については前記一の本の裏表紙に対応する位置となり、水平方向については前記一の本に形成された各貫通孔に対応する位置となる背布の第１面の部位に対して、本締結用糸付き針が挿通される。
より具体的には、本締結用糸付き針が挿通される背布の第１面の部位の上下方向の位置は、以下の通りとなる。
（ａ）前記一の本が最初に積み重ねられる本である場合
背布はＬ字状に折り曲げられて上下方向に延びる第１面と水平方向に延びる第２面とを有する（第３ステップ）ため、背布の第２面の上下方向の位置は、背布の第１面の下端の位置に等しい。前記一の本が最初に第２面上に積み重ねられる（第２面上に直接載置される）本である場合、積み重ねられると、前記一の本の裏表紙は背布の第２面に当接するため、上下方向について前記一の本の裏表紙に対応する位置となる背布の第１面の部位は、第１面の下端に等しい。換言すれば、上下方向について前記一の本の裏表紙に対応する位置となる背布の第１面の部位は、背布の第２面に交差する第１面の部位となる。
従って、前記一の本が最初に積み重ねられる本である場合には、本締結用糸付き針を背布の第１面に挿通するに際し、上下方向については、背布の第２面に交差する第１面の部位、すなわち、背布の折り曲げ箇所に目視で狙いを付け、水平方向（前記一の本の天地方向）については、前記一の本に形成された各貫通孔に目視で狙いをつけることで、本締結用糸付き針を挿通する位置を容易に且つ正確に決定することができる。
（ｂ）前記一の本が２冊目以降に積み重ねられる本である場合（既に積み重ねられた他の本がある場合）
既に積み重ねられた他の本の表表紙（既に積み重ねられた他の本が複数ある場合には、最も上側に位置する他の本の表表紙）は、他の本の背表紙が背布の第１面に当接した状態で背布に対して締結されているため（第７ステップ及び第８ステップ）、背布の第１面と交差する。前記一の本が２冊目以降に積み重ねられる本である場合、積み重ねられると、前記一の本の裏表紙は既に積み重ねられた他の本の表表紙に当接する。従い、上下方向について前記一の本の裏表紙に対応する位置となる背布の第１面の部位は、既に積み重ねられた他の本の表表紙に交差する第１面の部位となる。
従って、前記一の本が２冊目以降に積み重ねられる本である場合には、本締結用糸付き針を背布の第１面に挿通するに際し、上下方向については、既に積み重ねられた他の本の表表紙に交差する第１面の部位に目視で狙いを付け、水平方向（前記一の本の天地方向）については、前記一の本に形成された各貫通孔に目視で狙いを付けることで、本締結用糸付き針を挿通する位置を容易に且つ正確に決定することができる。
【００１８】
以上のように、第５ステップでは、背布の第１面において本締結用糸付き針を挿通させるべき位置に目視で狙いを付け易いため、容易に且つ正確に本締結用糸付き針を挿通可能である。
【００１９】
第６ステップでは、前記一の本に形成された各貫通孔に本締結用糸付き針が挿通され、第７ステップでは、本締結用糸付き針が挿通された前記一の本が背布に締結される位置に配置され、その状態で、背布の第１面に対して本締結用糸付き針が背布のＬ字の内側から外側に向けて挿通される。
前記一の本が締結される水平方向（前記一の本の天地方向に直交する方向）の位置は、前記一の本の背表紙が背布の第１面に当接する位置である。また、前記一の本が締結される上下方向の位置は、前記一の本の裏表紙が前記背布の第２面に当接する位置又は既に積み重ねられた他の本がある場合には当該他の本の表表紙に当接する位置である。
【００２０】
第７ステップにおいて、本締結用糸付き針が挿通される背布の第１面の部位は、上下方向については、締結される位置に配置された前記一の本の表表紙に対応する位置にあり、水平方向については、前記一の本に形成された各貫通孔に対応する位置にある。
具体的には、上下方向について、締結される位置に配置された前記一の本の表表紙に対応する位置にある背布の第１面の部位は、前記一の本の表表紙に交差する第１面の部位となる。
従って、本締結用糸付き針を背布の第１面に挿通するに際し、上下方向については、前記一の本の表表紙に交差する第１面の部位に目視で狙いを付け、水平方向（前記一の本の天地方向）については、前記一の本に形成された各貫通孔に目視で狙いを付けることで、本締結用糸付き針を挿通する位置を容易に且つ正確に決定することができる。
以上のように、第７ステップでは、背布の第１面において本締結用糸付き針を挿通させるべき位置に目視で狙いを付け易いため、容易に且つ正確に本締結用糸付き針を挿通可能である。
【００２１】
第８ステップでは、背布の第１面及び前記一の本の各貫通孔に挿通された本締結用付き針の糸（本締結用糸）が、背布のＬ字の外側における第１面上に結び目が形成されるように結ばれることで、前記一の本が背布に対して締結される。
具体的には、第４ステップから第７ステップまでを実行することで、本締結用糸は、上下方向について前記一の本の裏表紙に対応する位置にある背布の第１面の部位と、前記一の本に形成された各貫通孔と、上下方向について前記一の本の表表紙に対応する位置にある背布の第１面の部位と、に挿通されている。そして、背布のＬ字の内側から外側に向けて突出している本締結用糸の両端が結ばれることによって、前記一の本は背布に対して締結される。
【００２２】
第９ステップでは、合本の対象とする本の数だけ第４ステップから第８ステップまでが繰り返し実行される。これにより、合本の対象とする各本が順次、且つ、各本毎に、背布に対して締結されることになる。
第９ステップでは、合本の対象とする本の数だけ第４ステップから第８ステップまでが繰り返し実行された後、すなわち、次に積み重ねるべき一の本が無くなった後に、本締結用糸付き針から針が取り外され、前記背布の第１面の上端部が積み重ねられた本に向けて（最も上側に位置する本の表表紙に向けて）折り曲げられてコ字状にされる。
【００２３】
以上に説明した第１ステップ〜第９ステップを実行することにより、本締結用糸によって各本が各本毎に背布に対して直接締結される一方、各本同士は背布を介して連結されているに過ぎない合本が製造されることになる。
従い、本発明に係る製造方法によって製造される合本は、特許文献１に記載のような全ての本同士が紐で直接締結された合本と異なり、各本単独での見開き性と同等の見開き性を有する。従って、本発明に係る製造方法によれば、見開き性の低下を伴わない合本を製造可能である。
【発明の効果】
【００２４】
本発明によれば、見開き性の低下を伴わない合本及びその製造方法を提供することが可能である。
【図面の簡単な説明】
【００２５】
【図１】図１は、本発明の一実施形態に係る合本の概略構成を示す図である。
【図２】図２は、図１に示す合本の一部を拡大して示す側面図である。
【図３】図３は、図１に示す合本の一使用状態を示す側面図である。
【図４】図４は、図１に示す合本の製造方法で実行する第４ステップ（１冊目）を説明する図である。
【図５】図５は、図１に示す合本の製造方法で実行する第５ステップ（１冊目）を説明する図である。
【図６】図６は、図１に示す合本の製造方法で実行する第６ステップ（１冊目）を説明する図である。
【図７】図７は、図１に示す合本の製造方法で実行する第７ステップ（１冊目）を説明する図である。
【図８】図８は、図１に示す合本の製造方法で実行する第７ステップ（１冊目）を説明する他の図である。
【図９】図９は、図１に示す合本の製造方法で実行する第８ステップ（１冊目）を説明する図である。
【図１０】図１０は、図１に示す合本の製造方法で実行する第６ステップ（２冊目）を説明する図である。
【図１１】図１１は、図１に示す合本の製造方法で実行する第７ステップ（２冊目）を説明する図である。
【図１２】図１２は、図１に示す合本の製造方法で実行する第８ステップ（２冊目）を説明する図である。
【図１３】図１３は、図１に示す合本の製造方法で実行する第８ステップ（３冊目）を説明する図である。
【図１４】図１４は、図１に示す合本の製造方法で実行する第９ステップを説明する図である。
【発明を実施するための形態】
【００２６】
以下、添付図面を適宜参照しつつ、本発明の一実施形態について説明する。
【００２７】
＜１．合本の構成＞
図１は、本発明の一実施形態に係る合本の概略構成を示す図である。図１（ａ）は背面図を、図１（ｂ）は側面図を、図１（ｃ）は平面図を示す。図２は、図１に示す合本の一部を拡大して示す側面図である。具体的には、図２は、図１（ｂ）に示す合本の左上部分を拡大して示す側面図である。
図１、図２に示すように、本実施形態に係る合本１は、複数の本２１，２２，２３と、背布４とを備えている。なお、図１、図２では、便宜上、背布４の厚みを実際の厚みよりも大きく図示しているが、実際には各本２１〜２３の厚みと比べて十分に小さな厚みである。
図１、図２に示すように、複数の本２１〜２３は、天地方向（図１に示す矢符Ｘの方向）を水平にした状態で上下（図１に示す矢符Ｚの方向）に積み重ねられている。なお、本実施形態に係る合本１は、３冊の本２１〜２３を備える構成とされているが、本発明は何らこれに限るものではなく、２冊以上の本を備えていればよい。
【００２８】
複数の各本２１〜２３には、それぞれ背表紙の近傍に表表紙から裏表紙まで貫通する貫通孔が天地方向に沿って複数形成されている。具体的には、本２１には、背表紙２１１の近傍に表表紙２１３から裏表紙２１２まで貫通する貫通孔が天地方向に沿って複数（貫通孔３１ａ，３１ｂ，３１ｃの３つ）形成されている。以下、３つの貫通孔３１ａ，３１ｂ，３１ｃを纏めて貫通孔３１と称する場合がある。また、本２２には、背表紙２２１の近傍に表表紙２２３から裏表紙２２２まで貫通する貫通孔が天地方向に沿って複数（貫通孔３２ａ，３２ｂ，３２ｃの３つ）形成されている。以下、３つの貫通孔３２ａ，３２ｂ，３２ｃを纏めて貫通孔３２と称する場合がある。さらに、本２３には、背表紙２３１の近傍に表表紙２３３から裏表紙２３２まで貫通する貫通孔が天地方向に沿って複数（貫通孔３３ａ，３３ｂ，３３ｃの３つ）形成されている。以下、３つの貫通孔３３ａ，３３ｂ，３３ｃを纏めて貫通孔３３と称する場合がある。
図１、図２に示すように、各本２１〜２３に形成された各貫通孔３１〜３３のうち、天地方向について同一の位置に形成された貫通孔３１ａと貫通孔３２ａと貫通孔３３ａとが連通し、貫通孔３１ｂと貫通孔３２ｂと貫通孔３３ｂとが連通し、貫通孔３１ｃと貫通孔３２ｃと貫通孔３３ｃとが連通している。
なお、「背表紙の近傍」とは、合本を構成する各本の背表紙から印刷部分（各本の画や文字などが印刷されている部分）までの範囲を意味する。好ましくは、背表紙から貫通孔までの距離は、５ｍｍ〜２０ｍｍとされる。ここでいう「背表紙から貫通孔までの距離」とは、貫通孔の外縁と背表紙との間の最短距離を意味する。貫通孔が背表紙に近すぎる位置に形成されると、各本を本締結用糸で背布に締結した際に、貫通孔が裂けてしまうおそれがあるからである。また、貫通孔が背表紙から遠すぎる位置に形成されると、各本の印刷部分に貫通孔がかかってしまい、印刷部分を欠損するおそれがあるからである。
また、貫通孔３１〜３３の孔径は、本締結用糸が挿通できれば特に限定されるものではないが、裂けたり、印刷部分が欠損するおそれを低減するために、小さければ小さいほどよい。
上記のように、本実施形態では、各本２１〜２３にそれぞれ３つの貫通孔３１〜３３が形成されているが、本発明は何らこれに限るものではなく、２つ以上の貫通孔が各本に形成されていればよい。
【００２９】
図１、図２に示すように、背布４は、コ字状に折り曲げられて、上下方向に延びる第１面４１、第１面４１の下端から水平方向に延びる第２面４２、及び、第１面４１の上端から水平方向に延びる第３面４３を有する。
背布４の形成材料としては、本締結用糸が挿通可能であれば特に限定されるものではなく、例えば、布製の壁紙（クロス）が用いられる。
【００３０】
本実施形態に係る合本１において、複数の各本２１〜２３の背表紙２１１，２２１，２３１は、背布４のコ字の内側において第１面４１に当接している。複数の本２１〜２３のうち最も上側に位置する本２３の表表紙２３３は、背布４のコ字の内側において第３面４３に当接している。複数の本２１〜２３のうち最も下側に位置する本２１の裏表紙２１２は、背布４のコ字の内側において前記第２面４２に当接している。
【００３１】
本実施形態に係る合本１において、本２１の天地方向に沿って形成された貫通孔３１ａ，３１ｂ，３１ｃには、それぞれ本締結用糸５ａ，５ｂ，５ｃが挿通されている。貫通孔３１ａ，３１ｂ，３１ｃにそれぞれ挿通された本締結用糸５ａ，５ｂ，５ｃは、本２１の背表紙２１１に対向する背布の第１面４１の部位にも挿通され、背布４のコ字の外側における第１面４１上にそれぞれ結び目６１ａ，６１ｂ，６１ｃが形成されるように結ばれている。このように本締結用糸５ａ，５ｂ，５ｃが結ばれることで、本２１が背布４に対して締結されている。
また、本２２の天地方向に沿って形成された貫通孔３２ａ，３２ｂ，３２ｃには、それぞれ上記のようにして途中に結び目６１ａ，６１ｂ，６１ｃが形成された本締結用糸５ａ，５ｂ，５ｃが挿通されている。貫通孔３２ａ，３２ｂ，３２ｃにそれぞれ挿通された本締結用糸５ａ，５ｂ，５ｃは、本２２の背表紙２２１に対向する背布の第１面４１の部位にも挿通され、背布４のコ字の外側における第１面４１上にそれぞれ結び目６２ａ，６２ｂ，６２ｃが形成されるように結ばれている。このように本締結用糸５ａ，５ｂ，５ｃが結ばれることで、本２２が背布４に対して締結されている。
さらに、本２３の天地方向に沿って形成された貫通孔３３ａ，３３ｂ，３３ｃには、それぞれ上記のようにして途中に結び目６２ａ，６２ｂ，６２ｃが形成された本締結用糸５ａ，５ｂ，５ｃが挿通されている。貫通孔３３ａ，３３ｂ，３３ｃにそれぞれ挿通された本締結用糸５ａ，５ｂ，５ｃは、本２３の背表紙２３１に対向する背布の第１面４１の部位にも挿通され、背布４のコ字の外側における第１面４１上にそれぞれ結び目６３ａ，６３ｂ，６３ｃが形成されるように結ばれている。このように本締結用糸５ａ，５ｂ，５ｃが結ばれることで、本２３が背布４に対して締結されている。
本締結用糸５ａ，５ｂ，５ｃとしては、各本を背布に締結した状態で自然と切れたりしないように一定以上の強度を有するものであれば特に限定されるものではなく、例えば、麻糸を用いることができる。
【００３２】
以下、背布４に対する各本２１〜２３の締結について、より具体的に説明する。
本実施形態において、本締結用糸５ａ，５ｂ，５ｃが挿通される本２１の背表紙２１１に対向する背布の第１面４１の部位は、水平方向（本２１の天地方向）については、各貫通孔３１ａ，３１ｂ，３１ｃの中心から背布の第１面４１に向かう垂線と交差する第１面４１の部位とされている。上下方向については、本２１の表表紙２１３と裏表紙２１２とにそれぞれ交差する高さに位置する背布の第１面４１の部位とされている。これらの部位にそれぞれ挿通された本締結用糸５ａ，５ｂ，５ｃは、背布の第１面４１のコ字の外側に両端が突出している。そして、その突出した両端が結ばれることよって、背布４のコ字の外側における第１面４１上にそれぞれ結び目６１ａ，６１ｂ，６１ｃが形成され、本２１は背布４に対して締結されている。
また、本実施形態において、本締結用糸５ａ，５ｂ，５ｃが挿通される本２２の背表紙２２１に対向する背布の第１面４１の部位は、水平方向（本２１の天地方向）については、各貫通孔３２ａ，３２ｂ，３２ｃの中心から背布の第１面４１に向かう垂線と交差する第１面４１の部位とされている。上下方向については、本２２の表表紙２２３と裏表紙２２２とにそれぞれ交差する高さに位置する背布の第１面４１の部位とされている。これらの部位にそれぞれ挿通された本締結用糸５ａ，５ｂ，５ｃは、背布の第１面４１のコ字の外側に両端が突出している。そして、その突出した両端が結ばれることよって、背布４のコ字の外側における第１面４１上にそれぞれ結び目６２ａ，６２ｂ，６２ｃが形成され、本２２は背布４に対して締結されている。
さらに、本実施形態において、本締結用糸５ａ，５ｂ，５ｃが挿通される本２３の背表紙２３１に対向する背布の第１面４１の部位は、水平方向（本２１の天地方向）については、各貫通孔３３ａ，３３ｂ，３３ｃの中心から背布の第１面４１に向かう垂線と交差する第１面４１の部位とされている。上下方向については、本２３の表表紙２３３と裏表紙２３２とにそれぞれ交差する高さに位置する背布の第１面４１の部位とされている。これらの部位にそれぞれ挿通された本締結用糸５ａ，５ｂ，５ｃは、背布の第１面４１のコ字の外側に両端が突出している。そして、その突出した両端が結ばれることによって、背布４のコ字の外側における第１面４１上に結び目６３ａ，６３ｂ，６３ｃが形成され、本２３は背布４に対して締結されている。
【００３３】
以上のようにして、合本１を構成する各本２１〜２３は、各本２１〜２３毎に背布４に対して締結されている。各本２１〜２３間で相互に連通する貫通孔に対しては、１本の本締結用糸のみを使用している（例えば、相互に連通する貫通孔３１ａ、貫通孔３２ａ及び貫通孔３３ａに対しては、１本の本締結用糸５ａのみを使用している）ものの、各本２１〜２３毎に結び目を形成（本締結用糸５ａについては、結び目６１ａ、６２ａ及び６３ａを形成）することで各本２１〜２３を背布４に締結しているため、各本２１〜２３同士は背布４を介して連結されているに過ぎない状態を実現可能である。
本実施形態では、貫通孔３が各本２１〜２３の天地方向に沿って３つ形成されているため、各本２１〜２３は背布４に対して各本２１〜２３の天地方向に沿った３箇所で確実に締結されることになる。
【００３４】
以上に説明したように、本実施形態に係る合本１を構成する各本２１〜２３は、夫々が背布４に対して締結され、背布４を介して連結され、１冊の合本１を成している。
なお、合本１を構成する各本２１〜２３は本締結用糸５ａ〜５ｃを用いて締結されているため、単独の本に戻したり、合本を構成する本の数を増やしたりする必要がある場合には、本締結糸５ａ〜５ｂを切断することで、締結状態を容易に解除することが可能である。
【００３５】
＜２．合本の使用方法＞
図３は、図１に示す合本の一使用状態を示す側面図である。具体的には、図３は、本実施形態に係る合本１を構成する３冊の本２１〜２３のうち、真ん中に位置する本２２を見開いた状態を示している。
本実施形態に係る合本１は、前述のように、合本１を構成する各本２１〜２３が、各本２１〜２３毎に背布４に対して直接締結されており、各本２１〜２３同士は背布４を介して連結されているに過ぎない。換言すれば、本実施形態に係る合本１は、合本１を構成する全ての本２１〜２３同士が背表紙２１１，２２１，２３１近傍において直接締結されているものではない。このため、所望の頁を見開く際、所望の頁が存する本の頁だけを押し広げれば良い。
例えば、図３に示すように、合本１を構成する３冊の本２１〜２３のうち、真ん中に位置する本２２の所望の頁を見開く場合、本２２におけるその所望の頁の前後の頁だけを押し広げれば良く、その他の本２１，２３を押し広げる必要はない。本２１や本２３の所望の頁を見開く場合も同様である。
従って、本実施形態に係る合本１は、各本２１〜２３単独での見開き性と同等の見開き性を有する。
【００３６】
＜３．合本の製造方法＞
本実施形態に係る合本１の製造方法は、以下に説明する第１ステップ〜第９ステップを含むことを特徴としている。このうち、第４〜第８ステップは、合本の対象とする本の数だけ繰り返し実行される。前述のように、本実施形態に係る合本１は、３冊の本２１〜２３を備えるため、第４〜第８ステップは３回繰り返し実行されることになる。以下の２冊目、３冊目の本に対する第４〜第８ステップの説明では、１冊目の本に対する第４〜第８ステップでの作業と同様の内容については説明を適宜割愛しながら説明する。
以下、第１ステップ〜第９ステップについて、順次説明する。
【００３７】
＜３−１．第１ステップ＞
第１ステップにおいては、合本１を構成する各本２１〜２３の背表紙２１１〜２３１の近傍に各本２１〜２３の表表紙から裏表紙まで貫通する貫通孔３１〜３３が各本２１〜２３の天地方向に沿って複数（本実施形態では３つ）形成される。
具体的には、例えば、各本２１〜２３の天地方向を水平にして、背表紙２１１〜２３１の天地方向及び天地方向に直交する水平方向の位置を揃えた状態で各本２１〜２３を積み重ね、錐などの貫通孔形成用の工具を用いて全ての本２１〜２３の背表紙２１１〜２３１近傍にまとめて貫通孔３１〜３３を形成すればよい。より具体的には、全ての本２１〜２３の背表紙２１１〜２３１近傍部位に錐などの工具を上下方向に突き刺すことで、上下方向に連通する貫通孔３１ａ，３２ａ，３３ａをまとめて形成し、工具を突き刺す部位を天地方向に沿って変更して、上下方向に連通する貫通孔３１ｂ，３２ｂ，３３ｂをまとめて形成し、更に工具を突き刺す部位を変更して、上下方向に連通する貫通孔３１ｃ，３２ｃ，３３ｃをまとめて形成すればよい。以上の作業により、貫通孔３１〜３３を形成する際の作業効率を高めることができると共に、各本２１〜２３における貫通孔３１〜３３の形成位置を合致させる（各本２１〜２３に形成される３つの貫通孔を相互に連通させる）ことも容易となる。
【００３８】
ただし、本実施形態の第１ステップは上記の手順に限るものではなく、各本２１〜２３毎に別個に貫通孔３１〜３３を形成することも可能である。すなわち、例えば、本２１に貫通孔３１ａ〜３１ｃを形成した後、本２２に貫通孔３２ａ〜３２ｃを形成し、最後に本２３に貫通孔３３ａ〜３３ｃを形成するという手順を採用することも可能である。
また、貫通孔形成用工具としては、前述の錐に限られるものではなく、例えば、パンチを用いることも可能である。複数の穴あけ機構を具備するパンチを用いれば、一回の穴あけ動作で複数の貫通孔を同時に形成でき、作業効率を高めることができる。特に、各本２１〜２３を積み重ねた状態でパンチを用いれば、一回の穴あけ動作で全ての本２１〜２３に複数の貫通孔３１〜３３を同時に形成できるため、極めて作業効率が高くなる。
【００３９】
本実施形態の第１ステップでは、合本１を構成する各本２１〜２３に予め貫通孔３１〜３３を形成しておくため、各本の締結作業中に、作業者が本締結用糸付き針を錐などの貫通孔形成用の工具に持ち替える手間が省けるため、合本の製造効率に優れるという利点が得られる。
【００４０】
＜３−２．第２ステップ＞
第２ステップにおいては、各本２１〜２３に形成された貫通孔３１〜３３の数と同数（本実施形態では３つ）の、本締結用糸付き針７が用意される。
本締結用糸付き針７に用いられる針は、例えば、後端部に糸を通すための糸通し孔を具備し、その糸通し孔に本締結用糸が挿通されている。本締結用糸付き針７に用いられる針の長さは、作業者が持ち易いように、５〜１０ｃｍであることが好ましい。
本実施形態の第２ステップでは、貫通孔３１〜３３の数と同数の本締結用糸付き針７を予め用意しておくため、各貫通孔３１〜３３に対して第５ステップを実行している途中で本締結用糸付き針７を用意する必要がないため、合本１の製造効率に優れるという利点が得られる。
【００４１】
＜３−３．第３ステップ＞
第３ステップにおいては、Ｌ字状に折り曲げられて上下方向に延びる第１面４１と水平方向に延びる第２面４２とを有し、第２面４２上に各本２１〜２３が積み重ねられる背布４が用意される。
背布４の上端部は第９ステップにおいて折り曲げられるし、本実施形態に係る合本１は３冊の本２１〜２３を備えるため、第３ステップで用意する背布の第１面４１の上下方向の長さは、積み重ねられる複数の本２１〜２３の総厚みよりも大きいものとする必要がある。
【００４２】
以上に述べた第１〜第３ステップは、必ずしもこの順に実行する必要はなく、いずれのステップを先に実行しても良い。ただし、いずれのステップも第４ステップよりも先に実行する必要がある。
【００４３】
＜３−４．第４ステップ（１冊目）＞
図４は、本実施形態に係る合本の製造方法で実行する第４ステップ（１冊目）を説明する図である。図４（ａ）は背面図を、図４（ｂ）は側面図を示す。
図４に示すように、１冊目の本２１に対する第４ステップでは、積み重ねる本２１の天地方向を水平にすると共に、第３ステップで用意した背布４の第１面４１と本２１の背表紙２１１とが対向し、背布４の第２面４２と本２１の裏表紙２１２とが対向するように、背布４のＬ字の内側に本２１が配置される。
後続の第７ステップ及び第８ステップでは、本２１の背表紙２１１を背布４の第１面４１に当接させ、本２１の裏表紙２１２を背布の第２面４２に当接させた状態で、本２１は背布４に締結される。
従って、第４ステップのように本２１を配置すれば、後続のステップにおいて本２１が締結される状態に近いため、後続のステップを実行し易いという利点を有する。
【００４４】
＜３−５．第５ステップ（１冊目）＞
図５は、本実施形態に係る合本の製造方法で実行する第５ステップ（１冊目）を説明する図である。図５（ａ）は背面図を、図５（ｂ）は側面図を示す。
図５に示すように、第５ステップでは、本２１が背布４の第２面４２上に積み重ねられた（第２面４２上に直接載置された）とすれば、上下方向については本２１の裏表紙２１２に対応する位置となり、水平方向（本２１の天地方向）については第１ステップで本２１に形成された各貫通孔３１ａ，３１ｂ，３１ｃに対応する位置となる背布４の第１面４１の部位に対して、それぞれ背布４のＬ字の外側から内側に向けて第２ステップで用意した本締結用糸付き針７が挿通される。
積み重ねられる本２１の裏表紙２１２は背布４の第２面４２に当接するため、上下方向について本２１の裏表紙２１２に対応する位置となる背布４の第１面４１の部位は、第１面４１の下端に等しい。換言すれば、上下方向について本２１の裏表紙２１２に対応する位置となる背布４の第１面４１の部位は、背布４の第２面４２に交差する第１面４１の部位となる。
従って、本締結用糸付き針７を背布４の第１面４１に挿通するに際し、上下方向については、背布４の第２面４２に交差する第１面４１の部位、すなわち、背布４の折り曲げ箇所に目視で狙いを付け、水平方向（本２１の天地方向）については、本２１に形成された各貫通孔３１に目視で狙いをつけることで、本締結用糸付き針７を挿通する位置を容易に且つ正確に決定することができる。
なお、便宜上、図５には１本の本締結用糸付き針７のみを図示しているが、実際には第２ステップで用意した３本の本締結用糸付き針７を用い、各本締結用糸付き針７をそれぞれ挿通している。後述の図６〜図１４についても同様である。
【００４５】
＜３−６．第６ステップ（１冊目）＞
図６は、本実施形態に係る製造方法で実行する第６ステップ（１冊目）を説明する図である。図６（ａ）は背面図を、図６（ｂ）は側面図を示す。
図６に示すように、第６ステップでは、第５ステップで背布４の第１面４１に挿通された本締結用糸付き針７のそれぞれが、本２１に形成された各貫通孔３１に下から上に向けて挿通される。
【００４６】
＜３−７．第７ステップ（１冊目）＞
図７は、本実施形態に係る製造方法で実行する第７ステップ（１冊目）を説明する図である。具体的には、図７は、第７ステップの前半を説明する図である。図７（ａ）は背面図を、図７（ｂ）は側面図を示す。
図８は、本実施形態に係る製造方法で実行する第７ステップ（１冊目）を説明する図である。具体的には、図８は、第７ステップの後半を説明する図である。図８（ａ）は背面図を、図８（ｂ）は側面図を示す。
図７に示すように、第７ステップでは、第６ステップで各貫通孔３１に本締結用糸付き針７が挿通された本２１の背表紙２１１を背布４の第１面４１に当接させ、本２１の裏表紙２１２を背布４の第２面４２に当接させる。すなわち、本締結用糸付き針７が挿通された本２１が、背布４の第２面４２上に天地方向を水平にした状態で載置され、背布４に締結される位置に配置される。
次いで、図８に示すように、上下方向については、上記締結される位置に配置された本２１の表表紙２１３に対応する位置（表表紙２１３に交差する位置）にあり、水平方向については、本２１に形成された各貫通孔３１に対応する位置にある背布４の第１面４１の部位に対して、それぞれ背布４のＬ字の内側から外側に向けて本締結用糸付き針７が挿通される。
本締結用糸付き針７を背布４の第１面４１に挿通するに際し、上下方向については、本２１の表表紙２１３に交差する第１面４１の部位に目視で狙いを付け、水平方向（本２１の天地方向）については、本２１に形成された各貫通孔３１に目視で狙いを付けることで、本締結用糸付き針７を挿通する位置を容易に且つ正確に決定することができる。
【００４７】
＜３−８．第８ステップ（１冊目）＞
図９は、本実施形態に係る製造方法で実行する第８ステップ（１冊目）を説明する図である。図９（ａ）は背面図を、図９（ｂ）は側面図を示す。
図９に示すように、第８ステップでは、第７ステップで背布４の第１面４１に挿通された本締結用糸付き針７の糸（本締結用糸５ａ〜５ｃ。図９では５ｃのみ図示）が、背布４のＬ字の外側における第１面４１上に結び目６１ａ〜６１ｃ（図９では６１ｃのみ図示）が形成されるようにそれぞれ結ばれることで、本２１が背布４に対して締結される。
具体的には、前述の第４ステップから第７ステップまでを実行することで、図９に示すように、本締結用糸５ａ〜５ｃは、上下方向について本２１の裏表紙２１２に対応する位置にある背布４の第１面４１の部位と、本２１に形成された各貫通孔３１と、上下方向について本２１の表表紙２１３に対応する位置にある背布４の第１面４１の部位と、に挿通されている。そして、背布４のＬ字の内側から外側に向けて突出している本締結用糸５ａ〜５ｃの両端が結ばれることによって、本２１は背布４に対して締結される。
【００４８】
＜３−９．第９ステップ＞
第９ステップにおいては、第４ステップから第８ステップまでが合本１の対象とする本の数（本実施形態では、本２１〜２３の３冊）だけ繰り返し実行された後、本締結用糸付き針７から針が取り外される。そして、背布４の第１面４１の上端部が、本２３の表表紙２３３に向けて折り曲げられてコ字状にされる。これにより、図１を参照して前述した本実施形態に係る合本１の製造が完了する。
以下、第９ステップにおいて実行される、２冊目、３冊目の本に対する第４〜第８ステップについて説明する。
【００４９】
＜３−９−１．２冊目の本に対する第４〜第８ステップ＞
２冊目の本２２に対しても、１冊目の本２１と同様の手順で第４ステップ及び第５ステップが実行される。
すなわち、第４ステップでは、本２２が背布４のＬ字の内側に配置され、第５ステップでは、背布４の第１面４１に対して本締結用糸付き針７が挿通される。
具体的には、第５ステップでは、本２２が背布４の第２面４２上に積み重ねられたとすれば、上下方向については本２２の裏表紙２２２に対応する位置となり、水平方向については本２２に形成された各貫通孔３２に対応する位置となる背布４の第１面４１の部位に対して、本締結用糸付き針７が挿通される。
より具体的に第５ステップについて説明すると、既に積み重ねられた本２１の表表紙２１３は、本２１の背表紙２１１が背布４の第１面４１に当接した状態で背布４に対して締結されているため、背布４の第１面４１と交差する（図９参照）。本２２が積み重ねられると、本２２の裏表紙２２２は既に積み重ねられた本２１の表表紙２１３に当接する。従い、上下方向について本２２の裏表紙２２２に対応する位置となる背布４の第１面４１の部位は、既に積み重ねられた本２１の表表紙２１３に交差する第１面４１の部位となる。
従って、本締結用糸付き針７を背布４の第１面４１に挿通するに際し、上下方向については、既に積み重ねられた本２１の表表紙２１３に交差する第１面４１の部位に目視で狙いを付け、水平方向（本２２の天地方向）については、本２２に形成された各貫通孔３２に目視で狙いを付けることで、本締結用糸付き針７を挿通する位置を容易に且つ正確に決定することができる。
【００５０】
以下、図１０〜図１２を参照しつつ、２冊目の本２２に対して実行される第６〜第８ステップについて、説明する。
（１）第６ステップ（２冊目）
図１０は、本実施形態に係る製造方法で実行する第６ステップ（２冊目）を説明する図である。図１０（ａ）は背面図を、図１０（ｂ）は側面図を示す。
図１０に示すように、２冊目の本２２には既に第４ステップ及び第５ステップが実行されているため、本２２は、背布４のＬ字の内側に配置され、本締結用糸付き針７は、それぞれ背布４の第１面４１に対して背布４のＬ字の外側から内側に向けて挿通されている。
そして、第６ステップでは、背布４の第１面４１に挿通された本締結用糸付き針７のそれぞれが、本２２に形成された各貫通孔３２に下から上に向けて挿通される。
【００５１】
（２）第７ステップ（２冊目）
図１１は、本実施形態に係る製造方法で実行する第７ステップ（２冊目）を説明する図である。図１１（ａ）は背面図を、図１１（ｂ）は側面図を示す。
図１１に示すように、第７ステップでは、まず最初に、第６ステップで各貫通孔３２に本締結用糸付き針７が挿通された本２２の背表紙２２１を背布の第１面４１に当接させ、本２２の裏表紙２２２を既に積み重ねられた本２１の表表紙２１３に当接させる。すなわち、本締結用糸付き針７が挿通された本２２が、既に積み重ねられた本２１の表表紙２１３上に天地方向を水平にした状態で積み重ねられ、背布４に締結される位置に配置される。
次いで、第７ステップでは、上下方向については、上記締結される位置に配置された本２２の表表紙２２３に対応する位置（表表紙２２３に交差する位置）にあり、水平方向については、本２２に形成された各貫通孔３２に対応する位置にある背布４の第１面４１の部位に対して、それぞれ背布４のＬ字の内側から外側に向けて本締結用糸付き針７が挿通される。
本締結用糸付き針７を背布４の第１面４１に挿通するに際し、上下方向については、本２２の表表紙２２３に交差する第１面４１の部位に目視で狙いを付け、水平方向（本２２の天地方向）については、本２２に形成された各貫通孔３２に目視で狙いを付けることで、本締結用糸付き針７を挿通する位置を容易に且つ正確に決定することができる。
【００５２】
（３）第８ステップ（２冊目）
図１２は、本実施形態に係る製造方法で実行する第８ステップ（２冊目）を説明する図である。図１２（ａ）は背面図を、図１２（ｂ）は側面図を示す。
図１２に示すように、第８ステップでは、第７ステップで背布４の第１面４１に挿通された本締結用糸付き針７の糸（本締結用糸５ａ〜５ｃ。図１２では５ｃのみ図示）が、背布４のＬ字の外側における第１面４１上に結び目６２ａ〜６２ｃ（図１２では６２ｃのみ図示）が形成されるようにそれぞれ結ばれることで、本２２が背布４に対して締結される。
具体的には、前述の第４ステップから第７ステップまでを実行することで、図１２に示すように、本締結用糸５ａ〜５ｃは、上下方向について本２２の裏表紙２２２に対応する位置にある背布４の第１面４１の部位と、本２２に形成された各貫通孔３２と、上下方向について本２２の表表紙２２３に対応する位置にある背布４の第１面４１の部位と、に挿通されている。そして、背布４のＬ字の内側から外側に向けて突出している本締結用糸５ａ〜５ｃの両端が結ばれることによって、本２２は背布４に対して締結される。
【００５３】
＜３−９−２．３冊目の本に対する第４〜第８ステップ＞
３冊目の本２３に対しても、２冊目の本２２と同様の手順で第４〜第７ステップが実行される。
以下、図１３を参照しつつ、３冊目の本２３に対して実行される第８ステップについて説明する。
図１３は、本実施形態に係る製造方法で実行する第８ステップ（３冊目）を説明する図である。図１３（ａ）は背面図を、図１３（ｂ）は側面図を示す。
図１３に示すように、第８ステップでは、第７ステップで背布４の第１面４１に挿通された本締結用糸付き針７の糸（本締結用糸５ａ〜５ｃ。図１３では５ｃのみ図示）が、背布４のＬ字の外側における第１面４１上に結び目６３ａ〜６３ｃ（図１３では６３ｃのみ図示）が形成されるようにそれぞれ結ばれることで、本２３が背布４に対して締結される。
具体的には、前述の第４ステップから第７ステップまでを実行することで、図１３に示すように、本締結用糸５ａ〜５ｃは、上下方向について本２３の裏表紙２３２に対応する位置にある背布４の第１面４１の部位と、本２３に形成された各貫通孔３３と、上下方向について本２３の表表紙２３３に対応する位置にある背布４の第１面４１の部位と、に挿通されている。そして、背布４のＬ字の内側から外側に向けて突出している本締結用糸５ａ〜５ｃの両端が結ばれることによって、本２３は背布４に対して締結される。
【００５４】
＜３−９−３．第９ステップの完了＞
図１４は、本実施形態に係る製造方法で実行する第９ステップ（３冊目）を説明する図である。図１４（ａ）は背面図を、図１４（ｂ）は側面図を示す。具体的には、図１４は、第９ステップが完了した直後の状態を示す図である。
第９ステップにおいては、前述のように、１冊目の本２１から３冊目の本２３まで、第４ステップ〜第８ステップが繰り返し実行される。その後、図１４に示すように、本締結用糸付き針７から針が取り外され、背布４の第１面４１の上端部が、本２３の表表紙２３３に向けて折り曲げられてコ字状にされる。すなわち、折り曲げられた第１面４１の上端部が背布４の第３面４３を形成することとなり、図１に示す合本１の製造が完成する。
【符号の説明】
【００５５】
１…合本、２１，２２，２３…本、３１，３２，３３…貫通孔、
４…背布、４１…背布の第１面、４２…背布の第２面、４３…背布の第３面、
５ａ，５ｂ，５ｃ…本締結用糸、
６１ａ，６１ｂ，６１ｃ，６２ａ，６２ｂ，６２ｃ，６３ａ，６３ｂ，６３ｃ…結び目、７…本締結用糸付き針、
【図１】
0006346516.tif 000002
【図２】
0006346516.tif 000003
【図３】
0006346516.tif 000004
【図４】
0006346516.tif 000005
【図５】
0006346516.tif 000006
【図６】
0006346516.tif 000007
【図７】
0006346516.tif 000008
【図８】
0006346516.tif 000009
【図９】
0006346516.tif 000010
【図１０】
0006346516.tif 000011
【図１１】
0006346516.tif 000012
【図１２】
0006346516.tif 000013
【図１３】
0006346516.tif 000014
【図１４】
0006346516.tif 000015